(57)【特許請求の範囲】
【請求項１】
複数の二次電池(1)を収納しているパック電池であって、
二次電池(1)をプラスチック製のインナーケース(3)に収納してインナーパック(4)とし、このインナーパック(4)の外側を金属シャーシー(16)でカバーして補強し、さらに金属シャーシー(16)で補強されたインナーケース(3)をプラスチック製のアウターケース(5)に収納しており、
アウターケース(5)は、長さ方向に直交する面を分割ライン(15)として、一対の筒ケース(5A)に分割してプラスチックで成形され、この筒ケース(5A)は、一端を端プレート部(5c)で閉塞して他端を開口部(5f)とする形状としており、
一対の筒ケース(5A)は、端プレート部(5c)を止ネジ(36)で金属シャーシー(16)に固定して、開口部(5f)の周縁を密閉状態に連結しており、金属シャーシー(16)は、止ネジ(36)がねじ込まれるネジ孔(18)を有し、このネジ孔(18)にねじ込まれる止ネジ(36)で筒ケース(5A)を金属シャーシー(16)に固定して、一対の筒ケース(5A)の開口部(5f)を密閉状態に連結しているパック電池。
【請求項２】
一対の筒ケース(5A)が、開口縁をラップさせて、密閉状態に連結している請求項１に記載されるパック電池。
【請求項３】
一対の筒ケース(5A)が、ラップ部の間にパッキン(20)を挟着して密閉状態に連結している請求項１に記載されるパック電池。
【請求項４】
筒ケース(5A)が、端プレート部(5c)から開口部(5f)に向かって内側の断面形状を大きくするテーパー状に成形すると共に、表面には、分割ライン(15)と平行に複数列の凸条(38)を一体的に成形して設けている請求項１に記載されるパック電池。
【請求項５】
金属シャーシー(16)に、インナーケース(3)とアウターケース(5)を固定する止ネジ(36)をねじ込んで、止ネジ(36)でもってインナーパック(4)とアウターケース(5)を金属シャーシー(16)に固定している請求項１に記載されるパック電池。
【請求項６】
金属シャーシー(16)が、インナーパック(4)の側面と上面と下面の３面をカバーするように、金属板をコ字状に折曲したものである請求項１に記載されるパック電池。
【請求項７】
金属シャーシー(16)が、インナーパック(4)の両側面をカバーする２枚の金属板からなり、２枚の金属シャーシー(16)をシャーシーホルダー(28)で連結して、インナーパック(4)の両面に固定している請求項１に記載されるパック電池。
【請求項８】
金属シャーシー(16)が挿入開口(16A)を有し、この挿入開口(16A)に入れられる突出部(3e)をインナーパック(4)の表面に設けており、インナーパック(4)の突出部(3e)を金属シャーシー(16)の挿入開口(16A)に入れてなる請求項１に記載されるパック電池。
【発明の詳細な説明】
【技術分野】
【０００１】
本発明は、主として多数の二次電池をケースに収納するものであって、屋外使用に最適なパック電池に関する。
【背景技術】
【０００２】
携帯電話や放送機器等の中継機の電源に使用されるパック電池は、商用電源が停電したときに中継機に電力を供給する。このように屋外使用のパック電池は、優れた耐久性と強度に加えて、広い温度範囲での動作が要求される。この種のパック電池は、たとえば、プラスチックケースに多数の二次電池と回路基板を収納したものである（特許文献１参照）。この構造のパック電池は、外部からの衝撃に充分な強度を実現することに加えて、防水構造として内部に水が浸入するのを防止する必要がある。この欠点を解消するために、アルミニウム等の金属を鋳造して密閉構造とするケースが開発されている。ただ、金属を鋳造したケースは、熱伝導に優れるので、寒冷地で使用するときには内蔵する二次電池が外気で冷却されて、温度が著しく低下し、電池性能が低下するばかりでなく、電池の寿命も短くする欠点がある。
【特許文献１】特開２００５−５６７２１号公報
【発明の開示】
【発明が解決しようとする課題】
【０００３】
本発明は、このような欠点を解決することを目的に開発されたもので、本発明の大切な目的は、寒冷地で使用して二次電池の過冷却を有効に防止しながら、優れた防水構造として、強靭な構造にできるパック電池を提供することにある。
【課題を解決するための手段】
【０００４】
本発明のパック電池は、前述の目的を達成するために以下の構成を備える。
パック電池は、複数の二次電池１を収納しているパック電池であって、二次電池１をプラスチック製のインナーケース３に収納してインナーパック４とし、このインナーパック４の外側を金属シャーシー１６でカバーして補強し、さらに金属シャーシー１６で補強されたインナーケース３をプラスチック製のアウターケース５に収納している。アウターケース５は、長さ方向に直交する面を分割ライン１５として、一対の筒ケース５Ａに分割してプラスチックで成形している。この筒ケース５Ａは、一端を端プレート部５ｃで閉塞して他端を開口部５ｆとする形状としている。一対の筒ケース５Ａは、端プレート部５ｃを止ネジ３６で金属シャーシー１６に固定して、開口部５ｆの周縁を密閉状態に連結している。金属シャーシー１６は、止ネジ３６がねじ込まれるネジ孔１８を有し、このネジ孔１８にねじ込まれる止ネジ３６で筒ケース５Ａを金属シャーシー１６に固定して、一対の筒ケース５Ａの開口部５ｆを密閉状態に連結している。
【０００５】
本発明のパック電池は、一対の筒ケース５Ａの開口縁をラップさせて、密閉状態に連することができる。本発明のパック電池は、一対の筒ケース５Ａを、ラップ部の間にパッキン２０を挟着して密閉状態に連結することができる。
【０００６】
本発明のパック電池は、筒ケース５Ａを、端プレート部５ｃから開口部５ｆに向かって内側の断面形状を大きくするテーパー状に成形すると共に、表面には、分割ライン１５と平行に複数列の凸条３８を一体的に成形して設けることができる。
【０００７】
本発明のパック電池は、金属シャーシー１６に、インナーケース３とアウターケース５を固定する止ネジ３６をねじ込んで、止ネジ３６でもってインナーパック４とアウターケース５を金属シャーシー１６に固定することができる。
【０００８】
本発明のパック電池は、金属シャーシー１６を、金属板をコ字状に折曲したものとして、インナーパック４の側面と上面と下面の３面をカバーすることができる。
【０００９】
本発明のパック電池は、金属シャーシー１６を、インナーパック４の両側面をカバーする２枚の金属板として、２枚の金属シャーシー１６をシャーシーホルダー２８で連結して、インナーパック４の両面に固定することができる。
【００１０】
本発明のパック電池は、金属シャーシー１６に挿入開口１６Ａを設けて、この挿入開口１６Ａに入れられる突出部３ｅをインナーパック４の表面に設けて、インナーパック４の突出部３ｅを金属シャーシー１６の挿入開口１６Ａに入れることができる。
【発明の効果】
【００１１】
本発明のパック電池は、寒冷地で使用して二次電池の過冷却を有効に防止しながら、優れた防水構造を実現して内部への水の侵入を阻止し、さらに強靭な構造をも実現できる。優れた防水構造は、プラスチック製のアウターケースを、長さ方向に直交する面を分割ラインとして一対の筒ケースに分割して、分割ラインを最小にし、さらに、分割して成形された一対の筒ケースの両端に位置する端プレート部を、アウターケースの内部に設けている金属シャーシーに止ネジで固定して、筒ケースの開口部の周縁を密閉状態に連結することで実現される。この構造のアウターケースは、分割ラインを最小にしながら、一対の筒ケースを互いに開口部で連結することなく、内部に配設している強靭な金属シャーシーに端プレート部を固定して、開口部を互いに押圧する状態でしっかりと連結できる。端プレート部を金属シャーシーに連結する止ネジは、筒ケースを長手方向に押圧する状態で金属シャーシーに固定する。長手方向に押圧される一対の筒ケースは、開口縁を互いに密接する状態で連結されて、密閉構造に連結される。
【００１２】
また、本発明のパック電池は、以上のように、端プレート部を金属シャーシーに止ネジで固定して密閉構造に連結するために、筒ケースにネジボスを設けて、ここに止ネジをねじ込んで連結する必要がない。ネジボスを設けてここに止ネジをねじ込んで連結する従来の連結構造は、アウターケースのネジボスを設ける部分を充分な強度とするために厚く成形する必要があり、また、厚く成形してもプラスチック製のネジボスに固定される止ネジは、本発明のパック電池のように、金属シャーシーにねじ込む止ネジのように強靭な状態で固定できない。本発明のパック電池は、アウターケースの内部に金属シャーシーを配設して、この金属シャーシーにねじ込まれる止ネジで、筒ケースの端プレート部を金属シャーシーに固定して、筒ケースの開口縁を密閉構造に連結する。この構造は、アウターケースにネジボスを設けて厚く成形する必要がなく、アウターケースを薄くして、内容積を大きくしながら、アウターケースの内部に配設する金属シャーシーで強靭な構造とし、さらに、この金属シャーシーに筒ケースの端プレート部を固定して、理想的な防水構造を実現する。
【００１３】
また、本発明のパック電池は、複数の二次電池と回路基板をプラスチック製のインナーケースに収納してインナーパックとし、このインナーパックの外側を金属シャーシーでカバーして補強し、さらに金属シャーシーで補強されたインナーケースをプラスチック製のアウターケースに収納するために、インナーケースで二次電池を絶縁すると共に断熱し、さらに金属シャーシーの外側をプラスチック製のアウターケースでカバーして断熱するので、インナーケースとアウターケースからなる２層のプラスチック層でもって、内蔵する二次電池を効果的に断熱する。このため、寒冷地においては、外気による二次電池の冷却を少なくして、二次電池が過冷却されて電池性能が低下し、あるいは寿命が短くなるのを防止できる。
【発明を実施するための最良の形態】
【００１４】
以下、本発明の実施例を図面に基づいて説明する。ただし、以下に示す実施例は、本発明の技術思想を具体化するためのパック電池を例示するものであって、本発明はパック電池を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１ないし図７に示すパック電池は、たとえば、電話の中継機等のように屋外に設置される電気機器の電源として使用される。したがって、低温から高温まで、たとえば−３０℃〜８０℃の外部温度で使用される。また、屋外用のパック電池は、優れた耐久性と強度も要求される。
【００１７】
図１ないし図７に示すパック電池は、インナーパック４と、インナーパック４を収納しているアウターケース５と、インナーパック４とアウターケース５との間に配設している金属シャーシー１６と、インナーパック４の外側に固定されて内蔵する二次電池１を加温するヒーター２７を備える。さらに、これ等の図に示すパック電池は、電池の充放電とヒーター２７の通電を制御する回路基板を備える。回路基板はインナーケース３に内蔵する第１の回路基板２と、インナーケース３の外側であって、インナーケース３とアウターケース５との間に配設している第２の回路基板６とに分離している。
【００１８】
インナーパック４は、複数の二次電池１と第１の回路基板２とを箱形のインナーケース３に収納している。インナーケース３はプラスチック製で、天板３ａと底板３ｂを中間で分割して、断面形状をコ字状とするケースユニット３Ａに分割している。この明細書で天板３ａと底板３ｂは図面に基づいて特定するものとし、図においてインナーケース３の上の板を天板３ａとして、下の板を底板３ｂとしている。分割して成形された一対のケースユニット３Ａは、連結されて内部に二次電池１と第１の回路基板２を収納する箱形としている。図２ないし図７に示すインナーケース３は、天板３ａと底板３ｂを中央でなくて片方に遍在する位置で分割している。このインナーケース３は、図６において、左側のケースユニット３Ａは天板３ａと底板３ｂの幅を広く、右側のケースユニット３Ａは天板３ａと底板３ｂの幅を狭くしている。これ等の図に示すケースユニット３Ａは、四角形の側面プレート３ｄの上縁に天板３ａを、下縁に底板３ｂを、両端縁に端プレート部３ｃを一体的に成形して、側部を開口している四角形の箱形に成形している。この形状のケースユニット３Ａは、側面プレート３ｄの周囲に、天板３ａと底板３ｂと端プレート部３ｃからなる周壁を一体的に成形した形状となる。分割してプラスチックで成形された一対のケースユニット３Ａは、天板３ａと底板３ｂと端プレート部３ｃからなる周壁の端縁を互いに当接させて、ネジ１７で連結している。
【００１９】
パック電池は、第１の回路基板２と第２の回路基板６を内蔵している。第１の回路基板２はインナーケース３の内部に、第２の回路基板６はインナーケース３の外側でアウターケース５の内側に配設している。第１の回路基板２は、大電流を流して発熱するハイパワー電子部品を備える電子回路を実装しない。たとえば、第１の回路基板２は、各々の電池電圧や電池温度を検出する回路を実装している。大電流を流して発熱するハイパワー電子部品やこれを備える電子回路は第２の回路基板６に実装される。第１の回路基板２はリード線７とリード板８を介して二次電池１の電極に接続され、第２の回路基板６は、リード線（図示せず）を介して第１の回路基板２に接続され、さらに太いリード線１０を介して二次電池１の出力に接続される。
【００２０】
第１の回路基板２は、インナーケース３の内面、すなわち側面プレート３ｄと平行な姿勢で、側面プレート３ｄの内面と二次電池１の間に配設される。図のパック電池は、第１の回路基板２を第１の基板ホルダー１１に入れてインナーケース３に収納している。第１の基板ホルダー１１は、プラスチックでもって周壁のある箱形に成形したものである。第１の基板ホルダー１１は、周壁の内部に第１の回路基板２を入れ、さらに周壁の内側に絶縁樹脂（図示せず）を充填して、絶縁樹脂で第１の回路基板２を被覆している。この構造は、第１の回路基板２を絶縁して、インナーケース３内に配設できる。このため、インナーケース３内に二次電池１から電解液が漏れ、あるいはガスが放出されても、電解液やガスから回路基板を絶縁して保護できる。
【００２１】
インナーケース３の内部に収納される第１の回路基板２は、インナーケース３で保護される。さらに第１の基板ホルダー１１に入れてインナーケース３に収納する第１の回路基板２は、第１の基板ホルダー１１とインナーケース３の両方で保護される。この構造は、第１の回路基板２と第１の基板ホルダー１１を薄く、軽くできる。それは、これ等に強い強度が要求されないからである。
【００２２】
図のインナーパック４は、第１の基板ホルダー１１の底面側を二次電池１側に配置する。いいかえると第１の基板ホルダー１１の開口部を、インナーケース３の側面プレート３ｄ側に配置する。このインナーパック４は、第１の回路基板２と二次電池１との間に第１の基板ホルダー１１の底板を配置する。インナーパックは、この図とは反対に、第１の基板ホルダーの底板をインナーケースの側面プレートに対向して配置することができる。このインナーパックは、第１の回路基板に固定している電子部品を、二次電池の間にできる谷間に突出するように配置して、第１の回路基板を二次電池に接近し、アウターケースの外形を小さくできる。また、第１の回路基板を第１の基板ホルダーに収納しないで、表面に固定している電子部品を二次電池の間にできる谷間に配置することもできる。さらに、第１の基板ホルダーの底に貫通孔を設け、この貫通孔に第１の回路基板に固定している電子部品を突出させて、二次電池の間の谷間に電子部品を配置することもできる。
【００２３】
第１の回路基板２は、リード線７とリード板８を介して二次電池１に連結される。いいかえると、複数の二次電池１はリード板８で互いに連結され、このリード板８を、リード線７を介して第１の回路基板２に連結している。第１の回路基板２は第１の基板ホルダー１１に固定しているので、第１の回路基板２と第１の基板ホルダー１１の両方がリード線７とリード板８を介して二次電池１に連結される。
【００２４】
二次電池１は、円筒型電池のリチウムイオン二次電池である。ただし、二次電池には、円筒型電池に代わって角型電池も使用できる。また、二次電池はリチウムイオン二次電池に特定せず、ニッケル水素電池やニッケルカドミウム電池等、他の全ての二次電池も使用できる。図のパック電池は、図６に示すように、複数の二次電池１を互いに平行な姿勢とし、さらに第１の回路基板２の表面と平行な面内に並べ、さらに、両端面を同一面に位置させる姿勢として、３列に並べてインナーケース３に収納している。３列に配列される二次電池１は、隣の列の二次電池１を谷間に配置している。さらに、二次電池１の間には絶縁材からなるスペーサー１２を配設している。図のインナーパック４は、二次電池１を３列に配置しているが、インナーパックには、１〜２列に二次電池を並べ、あるいは４列以上に並べて収納することもできる。
【００２５】
二次電池１は、端面にリード板８を接続している。リード板８は、二次電池１を並列に接続して直列に接続する。図のリード板８は、６本の二次電池１の電極面にスポット溶接等の方法で接続している。このインナーパック４は、３本の二次電池１を並列に接続して１ブロックとし、並列接続された１３個のブロックを直列に接続している。
【００２６】
第２の回路基板６は、インナーパック４の外側であって、アウターケース５の内側に配置される。第２の回路基板６は、プラスチック製の第２の基板ホルダー１３の内部に固定される。第２の基板ホルダー１３はインナーパック４の上面に固定される。第２の基板ホルダー１３は下方を開口する四角形の箱形で、内部に絶縁樹脂（図示せず）を充填して、絶縁樹脂で第２の回路基板６を被覆している。第２の回路基板６は、リード線（図示せず）を介して第１の回路基板２や二次電池１に接続される。
【００２７】
図のパック電池は、アウターケース５の内面に金属シャーシー１６を設けている。金属シャーシー１６は、アウターケース５とインナーパック４との間に設けられて、ケースを補強している。図２に示すパック電池は、２枚の金属板を折曲、プレス加工して金属シャーシー１６とし、アウターケース５の内側を補強している。この金属シャーシー１６は、インナーパック４とアウターケース５の間に配設される形状に折曲加工している。
【００２８】
金属シャーシー１６は、第２の基板ホルダー１３を固定しているインナーパック４を内側に固定し、外側にはアウターケース５を固定している。金属シャーシー１６は、インナーパック４やアウターケース５を固定する止ネジ３６をねじ込むネジ孔１８を設けており、ここに止ネジ３６をねじ込んで、インナーパック４やアウターケース５を固定している。さらに、金属シャーシー１６には、コネクター１９等も固定している。
【００２９】
図２に示すパック電池は、金属シャーシー１６に挿入開口１６Ａを設け、この挿入開口１６Ａに入れられる突出部３ｅをインナーパック４の表面に設けている。図の金属シャーシー１６は、インナーパック４の側面に対向する部分に挿入開口１６Ａを開口している。インナーパック４は、側面に挿入開口１６Ａに挿入される突出部３ｅを設けている。インナーパック４は、インナーケース３の側面プレート３ｄの中央部分であって、外周縁部を除く部分に突出部３ｅを設けている。この構造は、金属シャーシー１６の挿入開口１６Ａにインナーパック４の突出部３ｅを挿入できるので、金属シャーシー１６で補強しながら、外形を小さくしてパック電池の横幅を小さくできる。
【００３０】
図２のパック電池は、金属シャーシー１６を２枚の金属板で構成する。２枚の金属板からなる金属シャーシー１６は、アウターケース５の内側であってインナーパック４の両側に配設されて、インナーパック４の両側面をカバーする。２枚の金属シャーシー１６は、シャーシーホルダー２８で連結してインナーパッック４の両面に固定している。さらに、金属シャーシー１６は、インナーパック４にネジ止して固定される。ただ、金属シャーシーは、インナーパックと第２の基板ホルダーに固定することもできる。
【００３１】
金属シャーシー１６は、発熱部品を固定して、発熱部品の放熱板に併用している。発熱部品は、大電流を流すダイオードやＦＥＴ等の大電力電子部品である。これ等の大電力電子部品は、電池と直列に接続されて電池の負荷電流や充電電流を流す電子部品である。
【００３２】
図のパック電池は、インナーパック４の上面と下面にヒーター２７を固定している。ヒーター２７は、内部にニクロム線等の発熱線を有する面状ヒーター、あるいはＰＴＣ等の面状ヒーターである。ヒーター２７は、外気温度が低下して二次電池１の温度が最低動作温度よりも低くなると、通電されて二次電池１を設定温度まで加温して正常に使用できる温度に保持する。たとえば、屋外に設置される中継機等の電源として使用されるパック電池は、二次電池１の温度や周囲温度を温度センサー（図示せず）で検出して、ヒーター２７の通電を制御する制御回路を備える。この制御回路は、回路基板に実装される。制御回路は、電池温度が最低動作温度よりも低くなり、あるいは周囲温度が予め設定している最低温度よりも低くなると、ヒーター２７に通電してインナーパック４を加温する。ヒーター２７に通電する電力は、パック電池に内蔵する二次電池１から供給され、あるいはパック電池をフローティング充電する商用電源から供給される。制御回路は、ヒーター２７の供給電力をコントロールして、二次電池１の温度を設定温度に保持する。
【００３３】
さらに、図８ないし図１０の金属シャーシー１６は、１枚の金属板を断面形状をコ字状に折曲加工している。この形状の金属シャーシー１６は、図示しないが、インナーパックの側面と上面と下面の３面をカバーすることができる。これらの図の金属シャーシー１６は、インナーパック４やアウターケース５を固定する止ネジをねじ込むネジ孔１８を両端に設けている。
【００３４】
図８の金属シャーシー１６は、ヒーターと対向する部分に凹部３０を設けて非接続部としている。この金属シャーシー１６は、ヒーターが直接に接触しないように、ヒーターを凹部３０の非接続部に配置して、ヒーターと金属シャーシー１６とを非接続部の空気で断熱する。ヒーターの熱は、直接に接触しない金属シャーシー１６に伝導されず、直接に接触するインナーパック４に熱伝導される。
【００３５】
図９金属シャーシー１６は、ヒーターが直接に金属シャーシー１６に接触しないように、金属シャーシー１６のヒーターの非接触位置に凸部３１を設けて、ヒーターとの対向面を非接続部としている。凸部３１は、金属シャーシー１６の非接続部をヒーターに接触させないようにして、ヒーターの熱が金属シャーシー１６に伝導されるのを防止する。
【００３６】
さらに、図１０の金属シャーシー１６は、非接続部を開口部３２としている。この金属シャーシー１６は、ヒーターが金属シャーシー１６に直接に接触しないように、ヒーターとの対向面に開口部３２を設けて非接続部としている。開口部３２からなる非接続部にヒーターを配設して、ヒーターと金属シャーシー１６とを非接触状態として、ヒーターの熱を金属シャーシー１６に熱伝導させるのを防止して、インナーパック４に熱伝導させている。
【００３７】
図１と図２に示すアウターケース５は、長さ方向に直交する面を分割ライン１５として、一対の筒ケース５Ａに分割してプラスチックで成形している。図のアウターケース５は、全体を縦に細長い四角筒状としている。一対の筒ケース５Ａは、一端を端プレート部５ｃで閉塞して他端を開口部５ｆとする形状としている。このアウターケース５は、天板５ａと底板５ｂと側面プレート５ｄを中央部で両端に２分割して、一端を端プレート部５ｃで閉塞する角筒状にプラスチックで成形している。このアウターケース５は、両端に２分割するので分割ライン１５がアウターケース５の長手方向に直交する方向となって、最短距離となる。分割された一対の筒ケース５Ａは、一端を閉塞する端プレート部５ｃを貫通する止ネジ３６で金属シャーシー１６に固定される。金属シャーシー１６に固定される一対の筒ケース５Ａは、開口部５ｆの周縁を密閉状態に連結している。一対の筒ケース５Ａは、図３の断面図に示すように、開口縁をラップさせ、さらにラップ部にパッキン２０を挟着して、密閉状態に連結している。図３の筒ケース５Ａは、開口縁に嵌合段差部２３を設けている。嵌合段差部２３の当接面にゴム状弾性体のパッキン２０を挟着して、密閉構造に連結している。嵌合段差部２３は、互いに嵌合できるように、一方の当接面に凹部２４を、他方の当接面にはこの凹部２４に案内される凸条２５を設けた形状として、互いにラップする構造としている。嵌合段差部２３は、当接面の凸条２５を凹部２４に入れ、ラップ部の間にパッキン２０を挟着して、防水構造に連結される。さらに、図のアウターケース５は、開口部５ｆの外側を密着カバー２６で被覆している。密着カバー２６は、筒ケース５Ａの分割ライン１５の外側に密着して、分割ライン１５を防水する。また、密着カバー２６は、連結部の強度も補強する。密着カバー２６は、プラスチックシートで、アウターケース５を挿入して収縮、密着される。
【００３８】
図１と図２のアウターケース５は、図において左下に位置する筒ケース５Ａの端プレート部５ｃに、金属プレート３７を積層している。この筒ケース５Ａは、金属プレート３７を貫通する止ネジ３６で、端プレート部５ｃを金属シャーシー１６に固定している。金属プレート３７を積層する端プレート部５ｃは、出力端子であるコネクタ１９の開口穴５ｅを設けている。
【００３９】
プラスチック製の筒ケース５Ａは、端プレート部５ｃから開口部５ｆに向かって内側の断面形状を大きくするテーパー状に成形している。さらに、アウターケースである筒ケース５Ａの表面には、分割ライン１５と平行に複数列の凸条３８を一体的に成形して設けている。この構造のアウターケース５は、表面の凸条３８を係止して、成形された筒ケース５Ａを金型からスムーズに脱型できる。とくに、凸条３８を係止して脱型できる筒ケース５Ａは、引っ張って脱型するときの破損を防止でき、また、テーパー状に成形しているテーパー角、すなわち勾配を極減まで抑えることができる。このため、端プレート部５ｃの面積と開口部５ｆの開口面積との差を少なくして、アウターケース５内のスペースを有効に利用できる。また、表面に設けた凸条３８はアウターケース５の反りや引け等の成形不良対策にも効果がある。
【図面の簡単な説明】
【００４０】
【図１】本発明の一実施例にかかるパック電池の斜視図である。
【図２】図１に示すパック電池の分解斜視図である。
【図３】図１に示すパック電池の一部拡大水平断面図である。
【図４】図１に示すパック電池の一部拡大垂直縦断面図である。
【図５】図１に示すパック電池の一部拡大垂直横断面図である。
【図６】図２に示すパック電池のインナーパックの分解斜視図である。
【図７】図２に示すパック電池のインナーパックの水平断面図である。
【図８】金属シャーシーの他の一例を示す斜視図である。
【図９】金属シャーシーの他の一例を示す斜視図である。
【図１０】金属シャーシーの他の一例を示す斜視図である。
【符号の説明】
【００４１】
１…二次電池
２…第１の回路基板
３…インナーケース        ３Ａ…ケースユニット
３ａ…天板
３ｂ…底板
３ｃ…端プレート部
３ｄ…側面プレート
３ｅ…突出部
４…インナーパック
５…アウターケース        ５Ａ…筒ケース
５ａ…天板
５ｂ…底板
５ｃ…端プレート部
５ｄ…側面プレート
５ｅ…開口穴
５ｆ…開口部
６…第２の回路基板
７…リード線
８…リード板
１０…太いリード線
１１…第１の基板ホルダー
１２…スペーサー
１３…第２の基板ホルダー
１５…分割ライン
１６…金属シャーシー      １６Ａ…挿入開口
１７…ネジ
１８…ネジ孔
１９…コネクター
２０…パッキン
２３…嵌合段差部
２４…凹部
２５…凸条
２６…密着カバー
２７…ヒーター
２８…シャーシーホルダー
３０…凹部
３１…凸部
３２…開口部
３６…止ネジ
３７…金属プレート
３８…凸条
【図１】
0004761856.tif 000002
【図２】
0004761856.tif 000003
【図３】
0004761856.tif 000004
【図４】
0004761856.tif 000005
【図５】
0004761856.tif 000006
【図６】
0004761856.tif 000007
【図７】
0004761856.tif 000008
【図８】
0004761856.tif 000009
【図９】
0004761856.tif 000010
【図１０】
0004761856.tif 000011